(57)【特許請求の範囲】
【請求項１】
同じ建物内に設置されてそれぞれが無線通信機能を有する少なくとも１台の親局と複数台の子局とを備えて構成され、前記複数台の子局がそれぞれ駆動用電源としての電池で動作する無線通信システムにおいて、
前記複数台の子局は、所定の操作を受けて前記電池の交換実施を示す電池交換信号を出力して前記親局へ通知する電池交換信号出力機能を有する制御部をそれぞれ備え、
前記親局は、所定の表示制御を受けて視認可能に発光表示を行う発光表示部と、前記所定の表示制御として、前記複数台の子局の少なくとも１つ以上で全数未満のものから前記電池交換信号を受信すると前記発光表示部を点灯又は点滅すると共に、前記複数台の子局の全数のものから前記電池交換信号を受信すると前記発光表示部を消灯する制御部と、を備え、
前記電池交換信号は、前記所定の操作として、前記複数台の子局に設けられたスイッチのＯＮ操作、又は着脱自在に装着されたパソコンの所用の操作の何れかに応じて前記複数台の子局における前記制御部から出力され、
前記複数台の子局における前記制御部は、前記建物内の水道光熱費に係る状態量を個別に計測した計測値を前記親局へ送信するために当該親局の通信インターフェースに無線通信で接続されると共に、当該複数台の子局にパソコンを装着可能とする外部インターフェースに接続され、
前記親局は、前記複数台の子局から送信される前記電池交換信号を受信する都度、前記複数台の子局毎の電池交換履歴情報を更新可能に記憶保持する記憶手段を備え、前記電池交換履歴情報は、前記親局の外部インターフェースに着脱自在に装着されたパソコンにより参照可能としたことを特徴とする無線通信システム。
【請求項２】
同じ建物内に設置されてそれぞれが無線通信機能を有する少なくとも１台の親局と複数台の子局とを備えて構成され、前記複数台の子局がそれぞれ駆動用電源としての電池で動作する無線通信システムにおいて、
前記親局は、所定の操作を受けて前記電池の交換作業開始を指示する電池交換作業開始信号を出力して前記複数台の子局へ通知する電池交換作業開始信号出力機能を有する制御部を備え、
前記複数台の子局は、所定の表示制御を受けて視認可能に発光表示を行う発光表示部と、前記所定の表示制御として、前記電池交換作業開始信号を受信すると前記発光表示部を点灯又は点滅すると共に、所定の操作を受けて前記発光表示部を消灯してから前記電池の交換実施を示す電池交換信号を出力して前記親局へ通知する制御部と、をそれぞれ備え、
前記電池交換作業開始信号は、前記所定の操作として、前記親局に設けられたスイッチのＯＮ操作、又は着脱自在に装着されたパソコンの所用の操作の何れかに応じて前記親局における前記制御部から出力され、
前記複数台の子局における前記制御部は、前記建物内の水道光熱費に係る状態量を個別に計測した計測値を前記親局へ送信するために当該親局の通信インターフェースに無線通信で接続されると共に、当該複数台の子局にパソコンを装着可能とする外部インターフェースに接続され、
前記親局は、前記複数台の子局から送信される前記電池交換信号を受信する都度、前記複数台の子局毎の電池交換履歴情報を更新可能に記憶保持する記憶手段を備え、前記電池交換履歴情報は、前記親局の外部インターフェースに着脱自在に装着されたパソコンにより参照可能としたことを特徴とする無線通信システム。
【発明の詳細な説明】
【技術分野】
【０００１】
本発明は、建物内に設置された親局と複数台の子局とが相互通信を行う構成の無線通信システムに係り、詳しくは各子局の電源用電池の交換の有無を把握するのに好適な無線通信システムに関する。
【背景技術】
【０００２】
従来、この種の無線通信システムに関連する周知技術としては、例えば監視対象を管理するコントローラに監視対象の状態を無線で送信し、バッテリ交換時に発生する監視対象の状態変化を容易に管理可能にした「無線式の状態送信装置」（特許文献１参照）が挙げられる。
【０００３】
この特許文献１に係る技術は、監視対象の状態を検出するセンサと、このセンサが接続されて監視対象の状態情報を無線で送信する子局である送信局と、この送信局から無線で送信される監視対象の状態情報を受信する親局である受信局と、を備えた無線通信システムの構成において、送信局（子局）がバッテリ（電池）で動作すると共に、このバッテリの電圧を検出するバッテリ検出回路を有しており、制御部の監視によりバッテリ検出回路で検出電圧が０Ｖとなった後、所定電圧以上になるとバッテリ（電池）が交換されたと判定するものである。
【先行技術文献】
【特許文献】
【０００４】
【特許文献１】特開平１０−３３４３８０号公報
【発明の概要】
【発明が解決しようとする課題】
【０００５】
上述した特許文献１に係る技術では、送信局（子局）におけるバッテリ検出回路でバッテリ（電池）の電圧を検出した結果、バッテリ交換の有無を判断するため、判定機能自体は適確に行われるが、建物内に設置される送信局の数が多ければ構成が複雑になるばかりでなく、各送信局の全てのバッテリ交換を行うとき、全ての送信局でのバッテリ交換が完了したか否かの判断を、受信局（親局）に記憶される各送信局から送信されるバッテリ交換信号を確認する必要があるため、バッテリ交換の状況の判断に手間がかかってしまい、簡易に判断することができないという問題がある。
【０００６】
本発明は、このような問題点を解決すべくなされたもので、その技術的課題は、電池で動作する子局が多くても、簡単な構成で電池交換の状況を簡易に漏れなく適確に判断できる無線通信システムを提供することにある。
【課題を解決するための手段】
【０００７】
上記技術的課題を解決するため、本発明の第１の手段は、同じ建物内に設置されてそれぞれが無線通信機能を有する少なくとも１台の親局と複数台の子局とを備えて構成され、複数台の子局がそれぞれ駆動用電源としての電池で動作する無線通信システムにおいて、複数台の子局は、所定の操作を受けて電池の交換実施を示す電池交換信号を出力して親局へ通知する電池交換信号出力機能を有する制御部をそれぞれ備え、親局は、所定の表示制御を受けて視認可能に発光表示を行う発光表示部と、所定の表示制御として、複数台の子局の少なくとも１つ以上で全数未満のものから電池交換信号を受信すると発光表示部を点灯又は点滅すると共に、複数台の子局の全数のものから電池交換信号を受信すると発光表示部を消灯する制御部と、を備え、電池交換信号は、所定の操作として、複数台の子局に設けられたスイッチのＯＮ操作、又は着脱自在に装着されたパソコンの所用の操作の何れかに応じて複数台の子局における制御部から出力され、複数台の子局における制御部は、建物内の水道光熱費に係る状態量を個別に計測した計測値を親局へ送信するために当該親局の通信インターフェースに無線通信で接続されると共に、当該複数台の子局にパソコンを装着可能とする外部インターフェースに接続され、親局は、複数台の子局から送信される電池交換信号を受信する都度、複数台の子局毎の電池交換履歴情報を更新可能に記憶保持する記憶手段を備え、電池交換履歴情報は、親局の外部インターフェースに着脱自在に装着されたパソコンにより参照可能としたことを特徴とする。
【０００８】
本発明の第２の手段は、同じ建物内に設置されてそれぞれが無線通信機能を有する少なくとも１台の親局と複数台の子局とを備えて構成され、前記複数台の子局がそれぞれ駆動用電源としての電池で動作する無線通信システムにおいて、親局は、所定の操作を受けて電池の交換作業開始を指示する電池交換作業開始信号を出力して複数台の子局へ通知する電池交換作業開始信号出力機能を有する制御部を備え、複数台の子局は、所定の表示制御を受けて視認可能に発光表示を行う発光表示部と、所定の表示制御として、電池交換作業開始信号を受信すると発光表示部を点灯又は点滅すると共に、所定の操作を受けて発光表示部を消灯してから電池の交換実施を示す電池交換信号を出力して親局へ通知する制御部と、をそれぞれ備え、電池交換作業開始信号は、所定の操作として、親局に設けられたスイッチのＯＮ操作、又は着脱自在に装着されたパソコンの所用の操作の何れかに応じて親局における制御部から出力され、複数台の子局における制御部は、建物内の水道光熱費に係る状態量を個別に計測した計測値を親局へ送信するために当該親局の通信インターフェースに無線通信で接続されると共に、当該複数台の子局にパソコンを装着可能とする外部インターフェースに接続され、親局は、複数台の子局から送信される電池交換信号を受信する都度、複数台の子局毎の電池交換履歴情報を更新可能に記憶保持する記憶手段を備え、電池交換履歴情報は、親局の外部インターフェースに着脱自在に装着されたパソコンにより参照可能としたことを特徴とする。
【発明の効果】
【００１３】
本発明の無線通信システムによれば、建物内の水道光熱費に係る状態量を個別に計測した計測値を子局から送信して親局で確認できる基本機能の他、各子局における駆動用電源としての電池の交換作業の状況を親局や各子局における発光表示部や装着接続されたパソコンの表示部で視認により確認できる機能を有するため、電池で動作する子局が多くても、簡単な構成で電池交換の状況を簡易に漏れなく適確に判断でき、電池交換作業漏れを防止できるようなる。
【図面の簡単な説明】
【００１４】
【図１】本発明の実施例１に係る無線通信システムの基本構成を示した概略ブロック図である。
【図２】図１に示す無線通信システムの親局に備えられる制御部による電池交換作業に伴う動作処理を示したフローチャートである。
【図３】図１に示す無線通信システムの子局に備えられる制御部による電池交換作業に伴う動作処理を示したフローチャートである。
【図４】図１に示す無線通信システムの親局に備えられる記憶部の電池交換履歴情報格納部に記憶されると共に、親局に装着されたパソコンの表示画面上に表示されたテーブル形式の電池交換履歴情報を例示した図である。
【発明を実施するための形態】
【００１５】
以下に、本発明の無線通信システムについて、実施例を挙げ、図面を参照して詳細に説明する。
【実施例１】
【００１６】
図１は、本発明の実施例１に係る無線通信システムの基本構成を示した概略ブロック図である。この無線通信システムは、同じ建物内に設置されてそれぞれが無線通信機能を有する１台の無線機仕様の親局３とこの親局３に対して遠隔的に配設された２台の無線機仕様の子局１、２とを備えて構成され、各子局１、２がそれぞれ駆動用電源としての電池１ｇ、２ｇで動作するようになっている。
【００１７】
このうち、子局１、２は、各部の構成が同じであり、具体的には消費電力量、使用水量、使用ガス量等の水道光熱費に係る複数の状態量のそれぞれを計測する計測手段としてのパルス発信付メータ４（本実施例では消費電力量の計測を要するものとする）に接続されると共に、パルス発信付メータ４から出力されたパルス信号を入力するパルス入力部１ａ、２ａと、所定の表示制御を受けて視認可能に発光表示を行う発光表示部としてのＬＥＤ１ｈ、２ｈと、計測された消費電力量の積算値の範囲で入出力が可能なパソコン５の着脱を可能とすると共に、所定の表示制御時にＬＥＤ１ｈ、２ｈを点灯又は点滅、或いは消灯させるための外部インターフェース（ＩＦ）１ｂ、２ｂと、アンテナ１ｆ、２ｆを介して後文で説明する親局３のアンテナ３ｆとの間での無線通信を可能にさせ、信号受信時に後文で説明する親局３からの電池交換作業開始信号を検出する無線処理部１ｄ、２ｄと、入力されたパルス信号に基づいて演算された消費電力量の積算値を記憶する記憶部１ｅ、２ｅと、電池１ｇ、２ｇの交換時にＯＮ操作に供されるスイッチ１ｉ、２ｉと、これらのパルス入力部１ａ、２ａ、外部インターフェース（ＩＦ）１ｂ、２ｂ、無線処理部１ｄ、２ｄ、記憶部１ｅ、２ｅ、及びスイッチ１ｉ、２ｉにそれぞれ接続され、パルス入力部１ａ、２ａからのパルス信号に基づいて上述した消費電力量の積算値を演算する処理、スイッチ１ｉ、２ｉのＯＮ操作で出力する電池交換実施を示す電池交換信号の出力処理、並びに消費電力量の積算値を記憶部１ｅ、２ｅに記憶（格納）させる処理を行うと共に、外部インターフェース（ＩＦ）１ｂ、２ｂを介して所定の表示制御としてＬＥＤ１ｈ、２ｈを点灯又は点滅、或いは消灯させるＬＥＤ制御部１ｃａ、２ｃａを含む制御部１ｃ、２ｃと、をそれぞれ備えて構成される。
【００１８】
また、親局３は、所定の表示制御を受けて視認可能に発光表示を行う発光表示部としてのＬＥＤ３ｈと、パソコン５の着脱を可能とすると共に、所定の表示制御時にＬＥＤ３ｈを点灯又は点滅、或いは消灯させるための外部インターフェース（ＩＦ）３ｂと、アンテナ３ｆを介して子局１、２のアンテナ１ｆ、２ｆとの間での無線通信を可能にさせ、信号受信時に後文で説明する子局１、２からの電池交換信号を検出する無線処理部３ｄと、子局１、２における電池１ｇ、２ｇの交換日時等の電池交換履歴情報を格納する電池交換履歴情報記憶部３ｅａを含むと共に、子局１、２の識別情報を記憶する記憶部３ｅと、子局１、２における電池１ｇ、２ｇの交換作業開始時にＯＮ操作に供されるスイッチ３ｉと、略図する通信回線を介して遠隔的に接続される監視センタへ子局１、２の記憶部１ｅ、２ｅに格納された消費電力量の積算値を送信する通信インターフェース（ＩＦ）３ａと、これらの通信インターフェース（ＩＦ）３ａ、外部インターフェース（ＩＦ）３ｂ、無線処理部３ｄ、記憶部３ｅ、及びスイッチ３ｉにそれぞれ接続され、通信インターフェース（ＩＦ）３ａからの子局１、２の上述した計測手段による計測値（消費電力量の積算値を含む）についての監視センタへの送信処理、スイッチ３ｉのＯＮ操作で出力する電池交換作業開始信号の出力処理、並びに子局１、２の電池１ｇ、２ｇの電池交換時に送信される電池交換信号を受信する都度、子局１、２毎の電池交換履歴情報を更新可能に記憶部３ｅに記憶（格納）させる処理を行うと共に、外部インターフェース（ＩＦ）３ｂを介して所定の表示制御としてＬＥＤ３ｈを点灯又は点滅、或いは消灯させるＬＥＤ制御部３ｃａを含む制御部３ｃと、を備えて構成される。
【００１９】
更に、子局１、２の外部インターフェース１ｂ、２ｂに接続して装着されるパソコン５は、パルス入力部１ａ、２ａからのパルス信号に基づいて制御部１ｃ、２ｃが演算した消費電力量の積算値の範囲内で使用可能なものであるが、制御部１ｃ、２ｃに対する機能設定によりスイッチ１ｉ、２ｉのＯＮ操作時以外にパソコン５の所用の操作に応じて電池交換信号を出力させることも可能である。親局３の外部インターフェース３ｂに接続して装着されるパソコン５は、記憶部３ｅの電池交換履歴情報格納部３ｅａの電池交換履歴情報を表示画面上に表示させて参照可能である他、制御部３ｃに対する機能設定によりスイッチ３ｉのＯＮ操作時以外にパソコン５の所用の操作に応じて電池交換作業開始信号を出力させることも可能である。何れのパソコン５においても、各局内で記憶された受信結果を取得して表示画面上に表示したり、或いは連続試験モードや開始時限の設定、送信出力の強弱の設定を行うこと等が可能である他、子局１、２においても制御部１ｃ、２ｃが記憶部１ｅ、２ｅに対して電池交換履歴情報を格納するように機能設定すれば、その電池交換履歴情報を表示画面上に表示させて参照可能である。
【００２０】
図２は、上述した無線通信システムの親局３に備えられる制御部３ｃによる電池交換作業に伴う動作処理を示したフローチャートである。ここでの動作処理は、親局３側で無線通信相手となる子局１、２の電池１ｇ、２ｇの交換作業を適確に把握できるようにしたモードである。
【００２１】
図２を参照して動作処理を具体的に説明すれば、ここではまず前提的な処理として、作業者が子局１の電池１ｇの交換開始を親局３に知らせるため（或いは子局２の電池２ｇについても同様）、スイッチ１ｉ（或いはスイッチ２ｉ）に所定の操作としてＯＮ操作を行うことにより、制御部１ｃ（或いは制御部２ｃ）は電池交換が行われると判断し、無線処理部１ｄ及びアンテナ１ｆ（或いは無線処理部２ｄ及びアンテナ２ｆ）を介して親局３のアンテナ３ｆへ電池１ｇ（或いは電池２ｇ）の交換実施を示す電池交換信号を出力する。但し、ここでの実際の電池１ｇ（或いは電池２ｇ）の交換はスイッチ１ｉ（或いはスイッチ２ｉ）のＯＮ操作を行った後に行うものとする。
【００２２】
そこで、親局３の制御部３ｃは、アンテナ３ｆ及び無線処理部３ｄを介して電池交換信号が受信されたか否かにより、電池交換信号有か否かの判定（ステップＳ１１）を行う。この判定の結果、電池交換信号が無ければこの判定（ステップＳ１１）の前にリターンして処理を繰り返すが、電池交換信号が有れば記憶部３ｅに記憶されている子局１、２の識別情報を参照して子局の特定（ステップＳ１２）を行い、子局１（或いは子局２）の電池交換が開始されたと判断し、記憶部３ｅの電池交換履歴情報格納部３ｅａにおけるテーブル形式の電池交換履歴情報を子局１のスイッチ１ｉ（或いは子局２のスイッチ２ｉ）を操作した時刻に書き替えることにより、テーブル書替え（ステップＳ１３）の処理を行った後、ＬＥＤ制御部３ｃａによりＬＥＤ制御信号（発光表示制御信号）として、ＬＥＤ点灯指令（ステップＳ１４）に基づくＬＥＤ点灯指令信号を出力して外部インターフェース（ＩＦ）３ｂ経由でＬＥＤ３ｈを点灯させる。但し、発光表示制御としては、点灯以外にも点滅させるパターンも適用できる。これにより、親局３の管理者はＬＥＤ３ｈの点灯又は点滅により子局１の電池１ｇ（或いは子局２の電池２ｇ）が交換されている様子を適確に視認することができる。
【００２３】
引き続き、制御部３ｃは、全子局（子局１、２の双方）より電池交換信号を受信したか否かを判定（ステップＳ１５）する。この判定の結果、全子局より電池交換信号が受信されていなければ最初の電池交換信号有か否かの判定（ステップＳ１１）の前にリターンしてそれ以降の処理を繰り返すが、全子局より電池交換信号が受信されていれば後続的に受信された子局についての記憶部３ｅの電池交換履歴情報格納部３ｅａにおけるテーブル形式の電池交換履歴情報をそのスイッチを操作した時刻に書き替えた後、ＬＥＤ制御部３ｃａによりＬＥＤ制御信号（発光表示制御信号）として、ＬＥＤ消灯指令（ステップＳ１６）に基づくＬＥＤ消灯指令信号を出力して外部インターフェース（ＩＦ）３ｂ経由でＬＥＤ３ｈを消灯させて動作処理を終了する。これにより、親局３の管理者はＬＥＤ３ｈの消灯により子局の全ての電池（子局１の電池１ｇ及び子局２の電池２ｇ）が交換されている様子を適確に視認することができる。
【００２４】
即ち、図２に示す動作処理のモードによれば、親局３のＬＥＤ３ｈを消灯させるためには、全ての子局１、２から電池交換信号を受信する必要があり、全ての子局１、２の電池交換完了を親局３のＬＥＤ３ｈの消灯により目視で確認できるため、子局１、２の電池交換漏れを適確に防止することができる。尚、図２の動作処理では前提的処理として、子局１、２の制御部１ｃ、２ｃがスイッチ１ｉ、２ｉのＯＮ操作で電池交換信号を出力する場合を説明したが、これに代えて子局１、２の外部インターフェース（ＩＦ）１ｂ、２ｂに装着したパソコン５の所用の操作で制御部１ｃ、２ｃから電池交換信号を出力させるように設定にすることも可能である。
【００２５】
何れにせよ、図２の動作処理モードによれば、子局１、２の制御部１ｃ、２ｃが電池交換信号出力機能を有して電池交換信号を出力することを前提とし、親局３の制御部３ｃにより子局の少なくとも１つ以上で全数未満のものから電池交換信号を受信するとＬＥＤ３ｈを点灯又は点滅させ、全数のものから電池交換信号を受信するとＬＥＤ３ｈを消灯する発光表示制御が行われるため、簡単な構成で電池１ｇ、２ｇの交換の有無を簡易に漏れなく適確に判断することができる。また、親局３では、子局１、２の電池交換信号の受信時に記憶部３ｅの電池交換履歴情報格納部３ｅａにおける電池交換履歴情報が更新されるため、親局３で子局１、２における電池交換履歴情報を取得して適確に管理することができる。
【００２６】
図３は、上述した無線通信システムの子局１、２に備えられる制御部１ｃ、２ｃによる電池交換作業に伴う動作処理を示したフローチャートである。ここでの動作処理は、無線通信相手となる親局３からの交換作業開始指示により子局１、２側で電池１ｇ、２ｇの交換作業を適確に把握できるようにしたモードである。
【００２７】
図３を参照して動作処理を具体的に説明すれば、ここではまず前提的な処理として、作業者が親局３から子局１、２の電池１ｇ、２ｇの交換作業開始を子局１、２に指示するためスイッチ３ｉに所定の操作としてＯＮ操作を行うことにより、制御部３ｃは電池交換作業開始の指示を行うものと判断し、無線処理部３ｄ及びアンテナ３ｆを介して子局１の無線処理部１ｄ及びアンテナ１ｆと子局２の無線処理部２ｄ及びアンテナ２ｆとへ電池交換作業開始信号を出力する。
【００２８】
そこで、子局１、２の制御部１ｃ、２ｃは、無線処理部１ｄ及びアンテナ１ｆ、子局２の無線処理部２ｄ及びアンテナ２ｆを介して電池交換作業開始信号が受信されたか否かの判定（ステップＳ２１）を行う。この判定の結果、電池交換作業開始信号が受信されていなければこの判定（ステップＳ２１）の前にリターンして処理を繰り返すが、無線処理部１ｄ及びアンテナ１ｆ、子局２の無線処理部２ｄ及びアンテナ２ｆを介して電池交換作業開始信号が受信されていれば制御部１ｃ、２ｃは、ＬＥＤ制御部１ｃａ、２ｃａによりＬＥＤ制御信号（発光表示制御信号）として、ＬＥＤ点滅指令（ステップＳ２２）に基づくＬＥＤ点滅信号を出力して外部インターフェース（ＩＦ）１ｂ、２ｂ経由でＬＥＤ１ｈ、２ｈを点滅させる。但し、発光表示制御としては、点滅以外にも点灯させるパターンも適用できる。これにより、子局１、２の管理者はＬＥＤ１ｈ、２ｈの点滅或いは点灯により電池１ｇ、２ｇの交換作業を行うべき様子を適確に視認することができる。
【００２９】
引き続き、子局１、２の制御部１ｃ、２ｃは、スイッチ１ｉ、２ｉにより所定の操作が行われたか否かにより、ＳＷの所定操作有りか否かの判定（ステップＳ２３）を行う。この判定の結果、ＳＷの所定操作が行われていなければこの判定（ステップＳ２３）の前にリターンして処理を繰り返すが、ＳＷの所定操作が行われていればＬＥＤ制御部１ｃａ、２ｃａによりＬＥＤ制御信号（発光表示制御信号）として、ＬＥＤ消灯指令（ステップＳ２４）に基づくＬＥＤ消灯指令信号を出力して外部インターフェース（ＩＦ）１ｂ、２ｂ経由でＬＥＤ１ｈ、２ｈを消灯させた後、子局１、２の電池１ｇ、２ｇの交換完了を親局３へ通知するための電池交換信号出力指令（ステップＳ２５）により、電池交換信号を無線処理部１ｄ及びアンテナ１ｆ、無線処理部２ｄ及びアンテナ２ｆを介して親機３のアンテナ３ｆへ出力して動作処理を終了する。これにより、子局１、２の管理者はＬＥＤ１ｈ、２ｈの消灯により全ての電池１ｇ、２ｇが交換されている様子を適確に視認することができる。
【００３０】
即ち、図３に示す動作処理のモードによれば、子局１、２の管理者はＬＥＤ１ｈ、２ｈを消灯させるためには、電池１ｇ、２ｇの交換時にスイッチ１ｉ、２ｉをＯＮ操作して制御部１ｃ、２ｃから電池交換信号を出力する必要があるため、電池交換を行っていない子局があるとＬＥＤ１ｈ、２ｈから目視で確認できるため、子局１、２の電池交換漏れを適確に防止することができる。尚、図３の動作処理では前提的処理として、親局３の制御部３ｃがスイッチ３ｉのＯＮ操作で電池交換作業開始信号を出力する場合を説明したが、これに代えて親局３の外部インターフェース（ＩＦ）３ｂに装着したパソコン５の所用の操作で制御部３ｃから電池交換作業開始信号を出力させる設定にすることも可能である。
【００３１】
何れにせよ、図３の動作処理モードによれば、親局３の制御部３ｃが電池交換作業開始信号出力機能を有して電池交換作業開始信号を出力することを前提とし、子局１、２の制御部１ｃ、２ｃにより電池交換作業開始信号を受信するとＬＥＤ１ｈ、２ｈを点滅又は点灯すると共に、電池１ｇ、２ｇの交換時には所定の操作を受けてＬＥＤ１ｈ、２ｈを消灯してから電池１ｇ、２ｇの交換完了を示す電池交換信号を出力して親局３へ通知する発光表示制御が行われるため、簡単な構成で電池１ｇ、２ｇの交換の有無を簡易に漏れなく適確に判断することができる。また、図２の動作処理の場合と同様に、親局３では、最終的に子局１、２からの電池交換信号を受信して記憶部３ｅの電池交換履歴情報格納部３ｅａにおける電池交換履歴情報が更新されるため、親局３で子局１、２における電池交換履歴情報を取得して適確に管理することができる。
【００３２】
図４は、親局３に備えられる記憶部３ｅの電池交換履歴情報格納部３ｅａに記憶されると共に、親局３に装着されたパソコン５の表示画面上に表示されたテーブル形式の電池交換履歴情報を例示した図である。ここでは、パソコン５の表示画面として、親局３の外部インターフェース（ＩＦ）３ｂへ着脱自在なパソコン５を装着して所用の操作を行うことにより電池交換履歴画面５Ａが表示された様子を示している。
【００３３】
図４の電池交換履歴画面５Ａでは、或る年月日（２０１１年０２月２５日）での電池交換状況として、子局Ｎｏ．５Ａａが親局３の管理下にある全子局を示しており、交換信号受信５Ａｂが各子局での電池交換作業開始信号を受信した後に親局３での電池交換信号を受信したか否かの成否（○、×）を示しており、交換日時５Ａｃが親局３での前回電池交換信号を受信した日時（年、月、日時：分で表す）を示している。因みに、図４中では、実施例１の無線通信システムで説明したＮｏ．１、Ｎｏ．２に対応する子局１、２以外の子局のものについても表示している。このような電池交換履歴画面５Ａをパソコン５の表示画面上に展開して電池交換状況の詳細を参照すれば、電池交換漏れを防止し、電池交換作業を効率良く実行することができる。
【００３４】
尚、上述した実施例１に係る無線通信システムは、図１を参照して２台の子局１、２と１台の親局３とによる構成を説明したが、本発明の無線通信システムは、図４中にも示したように３台以上の子局と１台の親局１とによる構成でも適用可能である他、更に２台以上の親局と３台以上の子局とによる構成であっても、各親局毎に無線通信管理下におかれる各子局が対応付けられる構成となっていれば適用可能であるので、図１に示した実施例１に係る構成のものに限定されない。
【符号の説明】
【００３５】
１、２  子局
３  親局
１ａ、２ａ  パルス入力部
１ｂ、２ｂ、３ｂ  外部インターフェース（ＩＦ）
１ｃ、２ｃ、３ｃ  制御部
１ｃａ、２ｃａ、３ｃａ  ＬＥＤ制御部
１ｄ、２ｄ、３ｄ  無線処理部
１ｅ、２ｅ、３ｅ  記憶部
１ｇ、２ｇ  電池
１ｈ、２ｈ、３ｈ  ＬＥＤ（発光表示部）
１ｉ、２ｉ、３ｉ  スイッチ
３ａ  通信インターフェース（ＩＦ）
３ｅａ  電池交換履歴情報格納部
４  パルス発信付メータ
５  パソコン
５Ａ  電池交換履歴画面
【図１】
0005469140.tif 000002
【図２】
0005469140.tif 000003
【図３】
0005469140.tif 000004
【図４】
0005469140.tif 000005